(57)【要約】【課題】壁面開口の通気性を確保した上で、壁面に沿って吹き上げる風雨を受けた場合の風雨の逆流を小さく抑えて幅広い外部環境に対応することができる正面カバー型通気口装置を提供することにある。【解決手段】正面カバー型通気口装置は、壁面開口の正面に臨む正面カバー（４）と、この正面カバー（４）を保持するベース部材であるベースプレート（３）とから構成され、下部通気口（Ｅ）の内部には板材によって形成した可動板（６）を設け、この可動板（６）を揺動可能に軸支する軸支部（７）を下部通気口（Ｅ）の内部の正面視による正面カバー（４）の外形範囲（Ｇ１，Ｇ２）内に設けるとともに、可動板（６）の下端を下部通気口（Ｅ）の内周面から離間して下垂する下垂位置（Ｌ）から下部通気口（Ｅ）を絞る展開位置（Ｍ）までを揺動範囲とする揺動規制部を設けたものである。【選択図】図１
0003147338.tif 000002
【実用新案登録請求の範囲】
【請求項１】
壁面開口の正面を覆いつつ下方に開いた下部通気口（Ｅ）に至る通路を形成する正面カバー（４）と、この正面カバー（４）を壁面（Ａ）に保持しつつ壁面開口から通気を案内するベース部材（３）とからなる正面カバー型通気口装置において、
上記下部通気口（Ｅ）の内部には板材によって形成した可動板（６）を設け、この可動板（６）を揺動可能に軸支する軸支部（７）を下部通気口（Ｅ）の内部の正面視による正面カバー（４）の外形範囲（Ｇ１，Ｇ２）内に設けるとともに、可動板（６）の下端を下部通気口（Ｅ）の内周面から離間して下垂する下垂位置（Ｌ）から下部通気口（Ｅ）を絞る展開位置（Ｍ）までを揺動範囲とする揺動規制部を設けたことを特徴とする正面カバー型通気口装置。
【請求項２】
前記軸支部（７）は、可動板（６）に形成した吊部（１１）を支持するループ部材（１２）と、このループ部材（１２）を一体支持するために下部通気口（Ｅ）の内部に突出する支持部材（１３）とによって形成し、この支持部材（１３）から延出して下垂位置（Ｌ）で可動板（６）を受ける下垂限度部（１４）を設けるとともに、可動板（６）の一端を延出して展開位置（Ｍ）で支持部材（１３）と干渉当接する展開限度部（１５）を形成し、これら下垂限度部（１４）と展開限度部（１５）とによって揺動規制部を形成したことを特徴とする請求項１記載の正面カバー型通気口装置。
【請求項３】
前記下垂限度部（１４）は、可動板（６）を傾斜姿勢で下垂位置（Ｌ）に当接保持することを特徴とする請求項２に記載の正面カバー型通気口装置。
【請求項４】
前記可動板（６）の外形形状は、展開位置（Ｍ）で下部通気口（Ｅ）の内周形状に沿って形成したことを特徴とする請求項１乃至請求項３のいずれかに記載の正面カバー型通気口装置。
【請求項５】
前記可動板（６）を複数位置に設け、互いに隣接する可動板（６）はそれぞれの展開位置（Ｍ）で互いに近接する外形形状に形成したことを特徴とする請求項１乃至請求項４のいずれかに記載の正面カバー型通気口装置。
【考案の詳細な説明】
【技術分野】
【０００１】
本考案は、建物等の壁面に開口する通気用ダクト口について外部からの風雨の侵入を抑えつつダクト口の通気を確保するための正面カバー型通気口装置に関するものである。
【背景技術】
【０００２】
特許文献１（公報の図４）に示される通気口装置が知られている。この通気口装置は、特許文献２にもあるように、正面カバーと、その上部開口内に庇状に張り出した傾斜板とを備え、また、下部通気口を下方に開いて構成される。正面カバーはダクトの開口正面部を覆うことにより、外部からのあおりによるダクト内への吹き込みを緩衝し、また、庇状の傾斜板はダクト口の雨水侵入を防止する。このように構成される通気口装置は、上部を閉鎖したフード状の正面カバーによる通気口装置を含め、風雨環境下にあっても下部通気口によって通気性を確保することができる。
【０００３】
また、上記通気口装置の下部通気口内には、下部防雨板を張出して設けることにより、壁面に沿って強く吹き上げるように風雨を受けた場合の下部通気口からの風雨の吹き込みを緩衝し、ダクト口への雨水の侵入を抑えることができる。
【特許文献１】登録実用新案第３０１３６５５号公報
【特許文献２】意匠登録８６２１７３号公報
【考案の開示】
【考案が解決しようとする課題】
【０００４】
しかしながら、下部通気口内に張出す下部防雨板は、主たる通気流路の障害となり、その大きさに応じた圧力損失によって通気特性の低下を招くことから、一定範囲内の大きさに制限せざるを得ないという問題があった。
【０００５】
本考案の目的は、通気性を確保した上で、壁面に沿って吹き上げる風雨を受けた場合の風雨の逆流を小さく抑えて幅広い外部環境に対応することができる正面カバー型通気口装置を提供することにある。
【課題を解決するための手段】
【０００６】
請求項１に係る考案は、壁面開口の正面を覆いつつ下方に開いた下部通気口に至る通路を形成する正面カバーと、この正面カバーを壁面に保持しつつ壁面開口から通気を案内するベース部材とからなる正面カバー型通気口装置において、上記下部通気口の内部には板材によって形成した可動板を設け、この可動板を揺動可能に軸支する軸支部を下部通気口の内部の正面視による正面カバーの外形範囲内に設けるとともに、可動板の下端を下部通気口の内周面から離間して下垂する下垂位置から下部通気口を絞る展開位置までを揺動範囲とする揺動規制部を設けたことを特徴とする。
上記通気口装置は、ベース部材によって開口部壁面に保持される正面カバーが内設の可動板を含めて壁面開口の正面を覆うことから、正面から受ける風雨の侵入を抑え、このとき、壁面開口と連通して下方に開いた下部通気口から、下垂位置にある可動板に沿って通気が確保され、また、下部通気口の内部に揺動可能に軸支された可動板は、揺動規制部によって下垂位置から展開位置までの範囲で揺動可能であることから、下部通気口に吹き上げるように逆風を受けた場合に可動板が下垂位置から下部通気口を塞ぐように展開位置まで揺動される。
【０００７】
請求項２の考案は、請求項１の構成において、前記軸支部は、可動板に形成した吊部を支持するループ部材と、このループ部材を一体支持するために下部通気口の内部に突出する支持部材とによって形成し、この支持部材から延出して下垂位置で可動板を受ける下垂限度部を設けるとともに、可動板の一端を延出して展開位置で支持部材と干渉当接する展開限度部を形成し、これら下垂限度部と展開限度部とによって揺動規制部を形成したことを特徴とする。
上記軸支部は、支持部材によって一体支持するループ部材によって可動板の吊部を支持し、また、支持部材から延出する下垂限度部と可動板の一端の展開限度部とによって片側揺動範囲が確保される。
【０００８】
請求項３の考案は、請求項２の構成において、前記下垂限度部は、可動板を傾斜姿勢で下垂位置に当接保持することを特徴とする。
上記下垂限度部によって可動板が下垂位置で傾斜保持されることから、可動板に沿う通気流線が形成される。
【０００９】
請求項４の考案は、請求項１乃至請求項３のいずれかの構成において、前記可動板の外形形状は、展開位置で下部通気口の内周形状に沿って形成したことを特徴とする。
上記可動板の揺動により、固定側との干渉なしに、展開位置で下部通気口が広く覆われる。
【００１０】
請求項５の考案は、請求項１乃至請求項４のいずれかの構成において、前記可動板を複数位置に設け、互いに隣接する可動板はそれぞれの展開位置で互いに近接する外形形状に形成したことを特徴とする。
上記可動板の揺動により、複数配置した際の相互干渉なしに、展開位置で下部通気口が広く覆われる。
【考案の効果】
【００１１】
本考案により以下の効果を奏する。
請求項１の考案による正面カバー型通気口装置は、ベース部材によって開口部壁面に保持される正面カバーが内設の可動板とともに壁面開口の正面を覆うことから、正面から受ける風雨の侵入を抑え、このとき、壁面開口と連通して下方に開いた下部通気口から、下垂位置にある可動板に沿って通気が確保され、また、下部通気口の内部に揺動可能に軸支された可動板は、揺動規制部によって下垂位置から展開位置までの範囲で揺動可能であることから、下部通気口に吹き上げるように逆風を受けた場合に可動板が下垂位置から下部通気口を塞ぐように展開位置まで揺動されることにより、下部通気口の通気断面積が一時的に絞られて下方からの風雨の侵入を小さく抑えることができる。
【００１２】
請求項２の考案による正面カバー型通気口装置は、請求項１の効果に加え、軸支部が、支持部材によって一体支持するループ部材によって可動板の吊部を支持し、また、支持部材から延出する下垂限度部と可動板の一端の展開限度部とによって片側揺動範囲が確保されることから、支持部材を中心とする簡易な構成によって可動板の片側揺動動作を耐久的に確保することができる。
【００１３】
請求項３の考案による正面カバー型通気口装置は、請求項２の効果に加え、下垂限度部によって可動板が下垂位置で傾斜保持されることから、可動板に沿う通気流線を壁面から遠ざけることができるので、通気による壁面汚れを抑えることができる。
【００１４】
請求項４の考案による正面カバー型通気口装置は、請求項１乃至請求項３の効果に加え、展開位置を基準として可動板の形状を規定したことから、可動板の揺動による固定側との干渉を回避しつつ、展開位置で下部通気口の通気断面積を効率よく絞ることができる。
【００１５】
請求項５の考案による正面カバー型通気口装置は、請求項１乃至請求項４の効果に加え、展開位置を基準として複数の可動板の形状を規定したことから、相互干渉を防止しつつ、展開位置で下部通気口の通気断面積を効率よく絞ることができる。
【考案を実施するための最良の形態】
【００１６】
本考案の実施の形態について以下に図面に基づいて詳細に説明する。
図１は、通気口装置の縦断面図である。この通気口装置１は、建物等の壁面Ａに開口する円形ダクトＢの開口に嵌入固定するための筒部２と、その前端に一体的に取付けたフランジ状のベースプレート３と、ダクト口の正面側を覆って通路を確保する正面カバー４と、その上部開口Ｄ内で庇状に張出す傾斜板５と、下部通気口Ｅ内に揺動可能に軸支した可動板６等を備えて構成される。
【００１７】
筒部２とベースプレート３は、正面カバー４を壁面に保持しつつダクト口から受けた通気を案内するために、両者一体でベース部材を構成する。正面カバー４は、正面デザインの自由度を確保した上で、外部からのあおりによるダクト内への吹き込みを緩衝するために、ダクト口の正面部を覆う。傾斜板５は、上部開口Ｄからの雨水侵入を防止するためにダクト口を庇状に覆って構成する。
【００１８】
可動板６は板材によって形成し、下部通気口Ｅの内部で正面視による正面カバー４の外形範囲Ｇ１，Ｇ２内に形成した軸支部７によって揺動可能に軸支する。この軸支部７には揺動規制部を設け、すなわち、下部通気口Ｅにおける下方への通気流線Ｊを確保するように下垂する下垂位置Ｌから、下部通気口Ｅを塞ぐようにして通気断面積を絞る展開位置Ｍまでを揺動範囲とする。
【００１９】
軸支部７の具体例について説明すると、下垂位置Ｌから展開位置Ｍまでの動作経過の側面図（ａ〜ｃ）を図２に示すように、軸支部７は、可動板６の上縁部に形成した吊部１１を支持するループ部材１２と、このループ部材１２を一体に加締め固定するために下部通気口Ｅの内部に突出する支持部材１３とによって形成し、この支持部材１３から、部分断面表示を伴う同図（ａ）の如くに下方に延出して下垂位置Ｌの可動板６を受ける下垂限度部１４を設けるとともに、可動板６の一端を、同図（ｃ）の如くに延出して展開位置Ｍで支持部材１３と干渉当接する展開限度部１５を形成する。これら下垂限度部１４と展開限度部１５とによって片側揺動の揺動規制部を構成する。
【００２０】
この場合において、可動板６の下垂位置Ｌにおいて上方に向かう風を導入する背面隙間Ｐを確保するために、下部通気口Ｅの内周面から、または、近接する他の可動板から離間し、または少なくとも可動板６の下端の一部を屈曲して構成する。可動板６を両側揺動に構成する場合は、下垂限度部を設けることなく両側の展開位置と対応する展開限度部を設けることによって揺動規制部を構成する。
【００２１】
このように構成した通気口装置は、図３に可動板６の動作状態を左右対比して表した平面図（ａ）および横断面図（ｂ）に示すように、ベースプレート３によって開口部壁面Ａに保持される正面カバー４が内設の可動板６とともに壁面開口の正面を覆うことから、、正面から受ける風雨の侵入を抑える。このとき、壁面開口と連通して下方に開いた下部通気口Ｅにおいて、下垂位置Ｌにある可動板６に沿って通気が確保される。
【００２２】
また、下部通気口Ｅの内部に揺動可能に軸支された可動板６は、下垂限度部１４と展開限度部１５とによる揺動規制部によって下垂位置Ｌから展開位置Ｍまでの範囲に限定して揺動可能であることから、下部通気口Ｅに向かって吹き上げるように逆風を受けた場合に、可動板６が下垂位置Ｌから下部通気口Ｅを塞ぐように展開位置Ｍまで揺動されることにより、下方からの風雨の侵入を小さく抑えることができる。
この場合において、可動板６は、展開位置Ｍで下部通気口Ｅの内周形状に沿う外形形状に形成することにより、揺動動作による固定側との干渉を回避しつつ、展開位置Ｍで下部通気口Ｅの通気断面積を効率よく絞ることができる。
【００２３】
また、上記構成の軸支部７は、支持部材１３によって一体支持したループ部材１２が可動板６の吊部１１を支持し、支持部材１３から延出する下垂限度部１４と可動板６の一端の展開限度部１５とによって片側動作の揺動範囲が確保されることから、支持部材１３を主たる構成要素とする簡易な構成によって可動板６の片側揺動動作を耐久的に確保することができる。
【００２４】
次に、別の軸支部７ａの構成例について説明すると、縦断面図（ａ）および横断面図（ｂ）を図４に示すように、可動板６を傾斜姿勢で下垂位置Ｌに当接保持するように下垂限度部１４に突出部１４ａを形成することにより、下垂位置Ｌで傾斜保持された可動板６に沿って通気流線Ｒを壁面から遠ざけるように構成することができるので、通気による壁面汚れを抑えることができる。
【００２５】
また、下部通気口Ｅの内周面の対向位置に設けた２つの支持部材１３ａ，１３ａにより、下部通気口Ｅを横断して軸支部７ａを構成することにより、下部通気口Ｅを横断して可動板６ａを配置することができるので、複数の可動板６，６ａによってそれぞれの展開位置で下部通気口Ｅの通気断面積を効率よく絞ることができる。
【００２６】
この場合において、複数の可動板６，６ａの軸支部７，７を平行配置し、かつ、下垂位置Ｌで互いに平行して傾斜するようにそれぞれの下垂限度部１４，１４の突出部１４ａ、１４ａを構成することにより、下部通気口Ｅにおける全体の通気流線Ｒを揃えて壁面から遠ざけることができる。
【００２７】
次に、角形カバーの通気口装置２１の構成例について説明すると、縦断面図（ａ）および横断面図（ｂ）を図５に示すように、角形カバー２２の下部通気口Ｅの内周に沿って複数の軸支部２３ａ，２３ｂ，２３ａを列設構成し、それぞれの可動板２４ａ、２４ｂ、２４ａは、展開位置で互いに干渉しない形状に構成する。このように可動板２４ａ、２４ｂ、２４ａを構成することにより、相互干渉を防止しつつ近接して複数の可動板を配置できるので、展開位置で下部通気口Ｅの通気断面積を効率よく絞ることができる。
【００２８】
以上の説明のように、本考案は、壁面開口の正面側を覆う正面カバーの下部通気口Ｅに関するものであることから、適用範囲が上記説明の通気口装置に限られることなく、上部を閉じた形式の正面カバー、正面視が丸形を含む異形の正面カバーについても同様に適用されることが明らかなので、その説明を省略する。
【図面の簡単な説明】
【００２９】
【図１】通気口装置の縦断面図
【図２】軸支部の動作状態を示す側面図（ａ〜ｃ）
【図３】可動板の動作状態を対比して表した平面図（ａ）および横断面図（ｂ）
【図４】別の軸支部の構成例の縦断面（ａ）および横断面図（ｂ）
【図５】角形カバーの通気口装置の構成例の縦断面（ａ）および横断面図（ｂ）
【符号の説明】
【００３０】
１      通気口装置
３      ベースプレート（ベース部材）
４      正面カバー
６      可動板
６ａ    可動板
７      軸支部
７ａ    軸支部
１１    吊部
１２    ループ部材
１３    支持部材
１３ａ  支持部材
１４    下垂限度部（揺動規制部）
１４ａ  突出部（揺動規制部）
１５    展開限度部（揺動規制部）
２１    通気口装置
２２    角形カバー
２３ａ  軸支部
２３ｂ  軸支部
２４ａ  可動板
２４ｂ  可動板
Ｅ      下部通気口
Ｇ１，Ｇ２      外形範囲
Ｊ      通気流線
Ｌ      下垂位置
Ｍ      展開位置
Ｐ      背面隙間
Ｒ      通気流線
【図１】
0003147338.tif 000003
【図２】
0003147338.tif 000004
【図３】
0003147338.tif 000005
【図４】
0003147338.tif 000006
【図５】
0003147338.tif 000007